(57)【要約】【課題】  使い勝手がよく、見苦しさや臭気の発散が防止されるペダル開閉式ごみ箱を提供する。【解決手段】  ごみ箱上部に設けたごみ投入口６に対し、蓋体１０をごみ箱後端を枢支部として回動自在に設けるとともに、この蓋体をごみ箱下方に設けたペダル２の上下動により昇降する昇降部材により押し上げるペダル開閉式ごみ箱において、蓋体の前方に第２ごみ投入口１７を設け、上記第２ごみ投入口を閉塞するためのフラップ板１２を、蓋体の下方に向かって回動自在に設けるとともに、閉塞方向の付勢力を与える。【選択図】  図２
2018090363.tif 000002
【特許請求の範囲】
【請求項１】
ごみ箱上部に設けたごみ投入口に対し、蓋体をごみ箱後端を枢支部として回動自在に設けるとともに、この蓋体をごみ箱下方に設けたペダルの上下動により昇降する昇降部材により押し上げるペダル開閉式ごみ箱において、蓋体の前方に第２ごみ投入口を設け、上記第２ごみ投入口を閉塞するためのフラップ板を、蓋体の下方に向かって回動自在に設けるとともに、閉塞方向の付勢力を与えたことを特徴とするペダル開閉式ごみ箱。
【請求項２】
第２ごみ投入口を閉塞する蓋体は回動端が蓋体の後方を向くように、枢支部を蓋体の前方に設けた請求項１記載のペダル開閉式ごみ箱。
【発明の詳細な説明】
【技術分野】
【０００１】
本願発明はごみ箱に関し、より詳細にはペダル開閉式のごみ箱の改良創作に関する。
【背景技術】
【０００２】
ごみ箱上部に設けたごみ投入口に対し蓋体をごみ箱後端を枢支部として回動自在に設けるとともに、この蓋体をごみ箱下方に設けたペダルの上下動により昇降する昇降部材により押し上げるペダル開閉式ごみ箱が公知である（例えば特許文献１、２）。
【０００３】
前記のごみ箱においては、ペダルを足先で踏み込むだけで蓋体を開放できるので、使い勝手がよく、広く使用されている。
【先行技術文献】
【特許文献】
【０００４】
【特許文献１】特開２００３−１１２８０１
【特許文献２】特開２００２−１６７００１
【発明の開示】
【発明が解決しようとする課題】
【０００５】
前記のペダル開閉式ごみ箱はごみ箱上部に設けたごみ投入口が蓋体の開放により大きく露出するので大きなごみを投入するには便利であるが、小さなごみを捨てる場合でも一々蓋体を大きく開けなければならない煩わしさがあった。
【０００６】
前記の場合、この種のペダル開閉式のごみ箱がよく使われている台所を想定した場合、小さなごみを捨てる場合でもごみ投入口が蓋体の開放により大きく露出することは、中に捨てられた生ゴミが露出して、見苦しいだけでなく、臭気が発散するなどの好ましくない問題が生じた。
【０００７】
一方、小さなごみを捨てる場合は蓋体の開放度合いを加減し、小さく開けて蓋体とごみ箱本体との隙間からごみを中に投入すれば前記の問題は解消されるが、そうした場合、ごみがごみ箱本体の手前に偏って、内容積を充分活用できないという問題を生じた。
【課題を解決するための手段】
【０００８】
本願発明は以上の従来技術の問題点を解消したペダル開閉式ごみ箱を提供することを目的として創作されたものであり、ごみ箱上部に設けたごみ投入口に対し蓋体をごみ箱後端を枢支部として回動自在に設けるとともに、この蓋体をごみ箱下方に設けたペダルの上下動により昇降する昇降部材により押し上げるペダル開閉式ごみ箱において、蓋体の前方に第２ごみ投入口を設け、上記第２ごみ投入口を閉塞するためのフラップ板を、蓋体の下方に向かって回動自在に設けるとともに、閉塞方向の付勢力を与えたことを特徴とする。
【０００９】
また、請求項２記載の発明は、前記のごみ箱において、第２ごみ投入口を閉塞するフラップ板は回動端が蓋体の後方を向くように、枢支部を蓋体の前方に設けたことを特徴とする。
【発明の効果】
【００１０】
本願発明のごみ箱によれば、ペダル開閉式ごみ箱において、蓋体の前方に第２ごみ投入口を設けたので、小さなごみを捨てる場合は一々蓋体を大きく開けなけなくても、この第２ごみ投入口から捨てればよいので使い勝手がよく、見苦しさや臭気の発散が防止されるという効果が得られる。
【００１１】
また、この場合、第２ごみ投入口を閉塞するフラップ板は蓋体の下方に向かって回動自在に設けるとともに、閉塞方向の付勢力を与えているので、付勢力に抗して押し下げればワンタッチで開放することができ、ごみを持った手でそのままフラップ板を開放してごみを捨てることが可能な効果が得られる。
【００１２】
さらに、請求項２記載の発明の場合、第２ごみ投入口を閉塞するフラップ板を回動端が蓋体の後方を向くように枢支部を蓋体の前方に設けたので、フラップ板はごみ箱の前方を軸としてごみ箱の中央寄りに開くので、投入したごみがごみ箱本体の手前に偏ることが防止され、ごみ箱の内容積を充分活用できるという効果が得られる。
【図面の簡単な説明】
【００１３】
【図１】本願発明のペダル開閉式ごみ箱の被蓋状態の斜視図。
【図２】同上、使用方法を示す斜視図。
【図３】本願発明のペダル開閉式ごみ箱の断面図。
【図４】同上、底面図。
【図５】同上、背面図。
【図６】同上、蓋体の背面図。
【図７】同上、ごみ箱本体と蓋体の枢支部付近の斜視図。
【図８】同上、ごみ箱本体と蓋体の枢支部付近の斜視図。
【図９】同上、蓋体の平面図。
【図１０】同上、蓋体の底面図。
【図１１】同上、蓋体の第２ごみ投入口箇所の断面図。
【図１２】同上、蓋体の第２ごみ投入口箇所の断面図。
【発明を実施するための最良の形態】
【００１４】
以下、本願発明のペダル開閉式の具体的実施例を添付図面に基づいて説明する。本願発明はごみ箱上部に設けたごみ投入口に対し蓋体をごみ箱後端を枢支部として回動自在に設けるとともに、この蓋体をごみ箱下方に設けたペダルの上下動により昇降する昇降部材により押し上げる公知のペダル開閉式ごみ箱に実施される。
【００１５】
図中符合１はプラスチック素材により構成されるごみ箱の本体を示す。ごみ箱本体１は上方をごみ投入口６として開口した断面矩形の有底の容器状のものであり、ごみ投入口に対し蓋体１０が回動自在に設けられる。蓋体１０はごみ投入口６端に枢支部１１をもって開閉するように設けられるものであり、使用者において直接蓋体の端を持って開閉できる他、ペダル操作によっても開閉できる下記の機構が設けられる。
【００１６】
すなわち、ごみ箱本体１の後方の上下方向には昇降杆５が昇降自在に配され、ごみ箱本体の底部裏面に設けた枢支部７を支点として上下にシーソー状に回動する回動杆３の後端に、昇降杆の下端が枢支部４をもって連結されると共に、昇降杆の上端の当接部１１７Ｂが蓋体１０の裏面の枢支部１１近傍に設けた当接部１１３Ｂに当接するように配される（図３〜図８参照）。前記の回動杆３の前方には足踏み操作可能なペダル２がごみ箱の下方前方より突出されるものであり、ペダルの下降時に上昇する昇降杆５により蓋体１０が押し開けられることとなる（図２（Ｂ）参照）。
【００１７】
この実施例においては、図７および図８に示すように昇降杆５の上端の当接部１１７Ｂに係合窓１１７Ａを設けるとともに、蓋体１０裏面の当接部１１３Ｂの中央から上記の係合窓１１７Ａ内に進入して係合される係合突起１１３Ａを設け、さらにペダル２の上昇時（非踏み込み時）には昇降杆５の上端の当接部１１７Ｂは閉じられた蓋体裏面の当接部１１３Ｂより離れる構成としている。
【００１８】
以上の構成を採用することにより、第一にペダルの下降時に上昇する昇降杆５により蓋体１０が押し開けられた際に、同時に蓋体１０裏面の当接部１１３Ｂの係合突起１１３Ａが昇降杆５の係合窓１１７Ａ内に進入して係合され、蓋体はペダル操作に追従して開閉される作用を、第二にペダルを離して昇降杆５が完全に下降した後は係合突起１１３Ａと係合窓１１７Ａの係合は解除され、蓋体はペダル操作からフリーとなり、使用者において自由に開閉できる作用を生じることとなる。
【００１９】
図中符号１７は蓋体１０に設けられる第２ごみ投入口であり、ここでは蓋体１０の前方３分の１の領域内に開口している。上記第２ごみ投入口１７は蓋体１０の裏側に位置するフラップ板１２により閉塞される。
【００２０】
前記フラップ板１２は枢支部をもって蓋体の下方に向かって回動自在に設けられるが、ここでは枢支部を蓋体の前方に設け、フラップ板の回動端が蓋体の後方を向くようにしている。こうすることにより、フラップ板はごみ箱の前方を軸としてごみ箱の中央寄りに開くので、投入したごみがごみ箱本体の手前に偏ることが防止される（図２（Ａ）、図３参照）。
【００２１】
前記の枢支部は、フラップ板１２の前端に突設した軸座１４、１４の両端から突設した軸１５、１５を蓋体１０の前方裏面に突設した軸受座１３、１３の軸孔に軸通することにより構成される（図１０、図１２参照）。
【００２２】
図中符号１６、１６は、フラップ板１２に第２ごみ投入口の閉塞方向の付勢力を与えるためのねじりコイルバネである。このねじりコイルバネ１６、１６はコイル部が前記軸１５、１５に外挿され、一端を蓋体１０の裏面に、他端をフラップ板１２の裏面に当接させることによりフラップ板に蓋体方向に回動しようとする付勢力を与えている。
【符号の説明】
【００２３】
１        ごみ箱本体
２        ペダル
３        回動杆
４        枢支部
５        昇降杆
６        ごみ投入口
１０      蓋体
１１      枢支部
１２      フラップ板
１３      軸受座
１４      軸座
１５      軸    
１６      ねじりコイルバネ
１７      第２ごみ投入口
【図１】
2018090363.tif 000003
【図２】
2018090363.tif 000004
【図３】
2018090363.tif 000005
【図４】
2018090363.tif 000006
【図５】
2018090363.tif 000007
【図６】
2018090363.tif 000008
【図７】
2018090363.tif 000009
【図８】
2018090363.tif 000010
【図９】
2018090363.tif 000011
【図１０】
2018090363.tif 000012
【図１１】
2018090363.tif 000013
【図１２】
2018090363.tif 000014